(57)【要約】【課題】  主走査方向に延びた露光軸を有する露光エンジンと、感光材料を主走査方向と交差する副走査方向に搬送させる搬送ローラ対とを有し、搬送ローラ対は、駆動源によって回転駆動される駆動ローラと、遊転状に支持された圧着ローラとを有し、圧着ローラは、駆動ローラに感光材料を押し付ける圧着状態と押し付けを解除した圧着解除状態との間で切換可能に設けられている露光装置において、仕上がり写真プリントにバンディング等の欠陥がより生じ難い露光装置を提供する。【解決手段】  圧着ローラ５２が、主走査方向と平行に延びたシャフト５２Ａと、シャフト５２Ａの周面上に遊転自在に支持されたローラ本体５２Ｂとを有する構成とした。【選択図】        図４
2005096921.tif 000002
【特許請求の範囲】
【請求項１】
主走査方向に延びた露光軸を有する露光エンジンと、感光材料を前記主走査方向と交差する副走査方向に搬送させる搬送ローラ対とを有し、
前記搬送ローラ対は、駆動源によって回転駆動される駆動ローラと、遊転状に支持された圧着ローラとを有し、
前記圧着ローラは、前記駆動ローラに感光材料を押し付ける圧着状態と前記押し付けを解除した圧着解除状態との間で切換可能に設けられている露光装置であって、
前記圧着ローラが、前記主走査方向と平行に延びたシャフトと、前記シャフトの周面上に遊転自在に支持されたローラ本体とを有する露光装置。
【請求項２】
前記ローラ本体は、前記シャフトの周面上にベアリングを介して支持された筒状で剛性の芯部材と、前記芯部材の外周に設けられた弾性材料製の感光材料支持体とを有し、前記芯部材の内面と前記シャフトの周面との間に環状の空隙が形成されている請求項１に記載の露光装置。
【請求項３】
前記ローラ本体は、１本の前記シャフトの周面上に前記主走査方向に沿って配置された複数のローラ本体からなり、前記複数のローラ本体は互いに独立して回転可能に設けられている請求項１または２に記載の露光装置。
【発明の詳細な説明】
【技術分野】
【０００１】
本発明は、主走査方向に延びた露光軸を有する露光エンジンと、感光材料を前記主走査方向と交差する副走査方向に搬送させる搬送ローラ対とを有し、前記搬送ローラ対は、駆動源によって回転駆動される駆動ローラと、遊転状に支持された圧着ローラとを有し、前記圧着ローラは、前記駆動ローラに感光材料を押し付ける圧着状態と前記押し付けを解除した圧着解除状態との間で切換可能に設けられている露光装置に関する。
【背景技術】
【０００２】
この種の露光装置としては、本発明に関連する先行技術文献情報として下記に示す特許文献１がある。この特許文献１に記された露光装置では、露光ポイントを挟んで搬送方向の上流側と下流側とに搬送ローラ対が設けられており、上流側の駆動ローラと下流側の駆動ローラとは常に同期回転されるように構成されており、図８に例示するように、圧着ローラはハウジングに揺動可能に支持された揺動アーム５４の遊端付近にボールベアリング７０を介して遊転支持された中実の丸棒状のシャフト１２０と、シャフト１２０の外周面に直接一体的に円筒状に設けられたゴム製の感光材料支持体１３０とで構成されている。そして、感光材料を露光操作する際には、先ず、上流側の搬送ローラ対によって感光材料を一定速度で送り始め、感光材料の先端が露光ポイントに達した時に露光を開始し、感光材料の先端が下流側の搬送ローラ対に進入する際には事前に揺動アームの操作によって下流側の圧着ローラを圧着解除状態にしておき、先端が下流側の搬送ローラ対の間に進入後に下流側の圧着ローラを圧着状態に切り換え、引き続き露光を続けるという操作を行っている。このような操作を行うことで、感光材料の先端が下流側の搬送ローラ対の圧着箇所に衝突する時の衝撃が、感光材料の搬送速度に乱れを与えて、これが仕上がり写真プリントに主走査方向に延びた筋状などの欠点となって現われるのを出来るだけ防止しようとしている。
【特許文献１】特開２００２‐２３２７３号公報（段落番号〔０００３〕、〔００３３〕、〔００３８〕〜〔００４１〕、図２〜図５）
【発明の開示】
【発明が解決しようとする課題】
【０００３】
しかし、特許文献１の露光装置では、上記のような対策にも拘わらずやはり仕上がり写真プリントにバンディング状の欠陥が見られる場合があった。
【０００４】
従って、本発明の目的は、上に例示した従来技術による露光装置の持つ前述した欠点に鑑み、仕上がり写真プリントにバンディング等の欠陥がより生じ難い露光装置を提供することにある。
【課題を解決するための手段】
【０００５】
本発明の第１の特徴構成は、主走査方向に延びた露光軸を有する露光エンジンと、感光材料を前記主走査方向と交差する副走査方向に搬送させる搬送ローラ対とを有し、
前記搬送ローラ対は、駆動源によって回転駆動される駆動ローラと、遊転状に支持された圧着ローラとを有し、
前記圧着ローラは、前記駆動ローラに感光材料を押し付ける圧着状態と前記押し付けを解除した圧着解除状態との間で切換可能に設けられている露光装置であって、
前記圧着ローラが、前記主走査方向と平行に延びたシャフトと、前記シャフトの周面上に遊転自在に支持されたローラ本体とを有することにある。
従って、本発明の第１の特徴構成による露光装置では、圧着ローラが、主走査方向と平行に延びたシャフトと、シャフトの周面上に遊転自在に支持されたローラ本体とを有する構成となっているので、圧着ローラが圧着解除状態から圧着状態に切り換えられる瞬間に、下流側に向けて搬送中の感光材料を慣性によって押し留めようとする作用を発揮するのは、シャフト上に遊転自在に支持されたローラ本体のみであって、質量の大きなシャフト自身の慣性はこのような作用に関与しない。従って、従来技術による露光装置における、中実のシャフトとシャフトの外周に一体回転するように設けられた弾性材料製の外周面との全体が感光材料を押し留めようとする慣性を有する構成に比して、圧着ローラが圧着状態に切り換えられる瞬間に感光材料が受ける衝撃が少なくなるため、仕上がり写真プリントにバンディング等の欠陥がより生じ難い。
【０００６】
本発明の第２の特徴構成は、前記ローラ本体は、前記シャフトの周面上にベアリングを介して支持された筒状で剛性の芯部材と、前記芯部材の外周に設けられた弾性材料製の感光材料支持体とを有し、前記芯部材の内面と前記シャフトの周面との間に環状の空隙が形成されていることにある。
従って、本発明の第２の特徴構成による露光装置では、弾性材料製であるに拘わらず感光材料支持体の外形は剛性の芯部材によって正しい筒状に保持されており、しかも、芯部材の内面とシャフトの周面との間に形成された環状の空隙の分だけローラ本体の質量がさらに削減されているため、ローラ本体によって発揮される搬送中の感光材料を慣性によって押し留めようとする作用が更に少なくなり、仕上がり写真プリントにバンディング等の欠陥がより生じ難くなる。
【０００７】
本発明の第３の特徴構成は、前記ローラ本体は、１本の前記シャフトの周面上に前記主走査方向に沿って配置された複数のローラ本体からなり、前記複数のローラ本体は互いに独立して回転可能に設けられていることにある。
従って、本発明の第３の特徴構成による露光装置では、例えばＬ版などの幅の狭い感光材料を搬送する際には、前記複数のローラ本体の一部のみが感光材料を前記駆動ローラに圧着し、残りのローラ本体は感光材料と接触しないので、圧着ローラが圧着解除状態から圧着状態に切り換えられる瞬間に、搬送中の感光材料を慣性によって押し留めようとする作用を発揮するのも前記一部のローラ本体に限られ、特に幅の狭い感光材料を搬送する際に仕上がり写真プリントにバンディング等の欠陥がより生じ難くなる。
【０００８】
本発明によるその他の特徴および利点は、以下図面を用いた実施形態の説明により明らかになるであろう。
【発明を実施するための最良の形態】
【０００９】
以下、本発明の実施の形態を図面に基づいて説明する。
図１は、本発明による露光装置を備えた写真プリント装置の概略構成図である。この写真プリント装置はデジタルミニラボとも称せられ、銀塩型の印画紙Ｐ（感光材料の一例）に対して露光を行う露光処理部Ｅｘと、このように露光された印画紙Ｐの現像処理を行う現像処理部Ｄｅと、現像処理後の印画紙Ｐを乾燥する乾燥処理部Ｄｒとを、筐体１０に収納した形で有している。
筐体１０の外部には、乾燥処理部Ｄｒから水平方向に送り出される仕上がりプリントとしての印画紙Ｐを、オーダ単位で仕分けてソータ（図示せず）に集積させるベルト搬送機構１１が設けられている。図面には示していないが、露光処理部Ｅｘでは、写真フィルムのコマ画像をフィルムスキャナによって光電変換することにより取り込んだ画像情報、あるいは、デジタルカメラで撮影した画像情報を該写真プリント装置に伝送することにより、その画像情報に基づき印画紙Ｐに対して露光操作が行われる。
【００１０】
露光処理部Ｅｘは、２つの印画紙マガジンＭ、Ｍの一方に収納したロール状の印画紙Ｐを供給ユニットＵ１でプリントサイズに切断して上方に搬送し、この供給ユニットＵ１から供給された印画紙Ｐを露光搬送ユニットＵ２（露光装置の一例）において下方から上方に鉛直方向に搬送しながら画像情報の露光を行い、この露光搬送ユニットＵ２から更に上方に送られる印画紙Ｐを前部ローラユニットＵ３において搬送方向を水平方向に変換した後、振分ユニットＵ４で水平方向に送り、次に、後部ローラユニットＵ５から現像処理部Ｄｅに受け渡すよう構成されている。
【００１１】
供給ユニットＵ１は、印画紙マガジンＭからの印画紙Ｐを搬送する複数の搬送ローラ対１３と、印画紙Ｐを所定のプリントサイズに切断するカッター１４と、印画紙Ｐを挟持したまま上方に移動するチャック機構１５とを備えている。次に、露光搬送ユニットＵ２は、搬送機構によって印画紙Ｐを下方から上方へ搬送しながら、その印画紙Ｐに対して露光を行うよう露光手段としてのレーザ走査型の露光エンジン１７を備えている。また、ローラユニットＵ３は、湾曲状の搬送経路において圧着状態と開放状態とに切り換え自在に配置された複数の搬送ローラ１８を備えている。振分ユニットＵ４は、ローラユニットＵ３から１列状態で供給される印画紙Ｐを挟持して２列の振り分け経路に振り分ける２つのチャッカーＣＨ（図１では紙面の貫通方向に沿って並置されている）を備えている。後部ローラユニットＵ５は、振分ユニットＵ４で振り分けられた印画紙Ｐを２列の振り分け経路に沿って搬送する複数の圧着ローラ１９を備えている。
現像処理部Ｄｅは、発色現像槽と漂白定着槽と安定槽とで成る複数の現像処理槽２０を備え、夫々の現像処理槽２０には印画紙Ｐを供給するよう多数の圧着ローラを有した搬送ユニット２１が備えられている。また、乾燥処理部Ｄｒはブロワー２２から送られる乾燥空気を加熱しつつ印画紙に供給する搬送経路を備えている。
【００１２】
露光搬送ユニットＵ２は、図２及び図３に示すように、主にアルミニウム等の金属材料で形成された主フレームＦ１と、この主フレームＦ１に対して分離自在に支持され、やはりアルミニウム等の金属材料で形成された可動フレームＦ２とを備えている。主フレームＦ１には、印画紙Ｐの基材面側を案内する精密な平坦面を有する基準プレート２５が設けられている。他方、可動フレームＦ２には、印画紙Ｐの感光面側を案内するガイド体Ｇが、基準プレート２５と対向する形で設けられている。可動フレームＦ２は下端部に形成した連結軸２６を主フレーム側の凹部２７に係入させ、上端を主フレームＦ１の側に引き寄せる形態でバックル等の保持機構（図示せず）で固定することで、基準プレート２５とガイド体Ｇとを互いに平行で且つ対向する位置関係に保持するよう構成されている。そして、これらの基準プレート２５とガイド体Ｇとの間に形成される間隙が、印画紙Ｐを鉛直方向に搬送する搬送経路を構成している。
【００１３】
また、露光搬送ユニットＵ２は、この搬送経路に対して印画紙Ｐを副走査方向に搬送するための搬送手段を備え、この搬送手段によって露光位置Ｘに送り込まれた印画紙Ｐの感光面に対して露光エンジン１７からのレーザビームＬＢにより主走査方向にライン状となる露光が行われる。ちなみに、露光エンジン１７は、ケーシングの内部に収納したＲ（赤）、Ｇ（緑）、Ｂ（青）の三原色のレーザ光源からのレーザビームＬＢを音響光学式の変調手段によって光量を調節した後、軸芯周りで回転するポリゴンミラーのミラー面で反射させることにより主走査方向に走査する状態で露光位置Ｘに送り出す構造のものが使用されている。尚、露光ヘッドとしては、他にＤＭＤ（デジタルミラーデバイス）方式、液晶シャッター方式、ＰＬＺＴシャッター方式、蛍光ビーム方式等も採用可能である。
尚、基準プレート２５の印画紙Ｐに接触する側の案内面２５Ｓは光線の反射を防止するためにメッキ等によって黒色に着色されている。更に、ガイド体Ｇは、印画紙Ｐの搬送方向で露光位置より上流側に配置された前部ガイド体３１と、露光位置Ｘに配置された中央ガイド体３２と、露光位置Ｘより下流側に配置された後部ガイド体３３とで構成されている。
【００１４】
主フレームＦ１の下部位置には、チャック機構１５から送られて来る印画紙Ｐを受け取る圧着型の導入ローラＲ０が備えられている。この導入ローラＲ０は回転駆動される主ローラ３５と、この主ローラ３５に対して圧着する圧着位置、及び、離間する開放位置に切換え自在な副ローラ３６とで構成され、主ローラ３５に対してステッピングモータ型の導入モータ３７の駆動力が減速機構３８を介して伝えられ、副ローラ３６はアクチュエータ３９の作動により圧着位置と開放位置とに切換え可能に構成されている。
【００１５】
前記搬送手段は、導入ローラＲ０から供給される印画紙Ｐを露光位置Ｘに送り込むよう、この露光位置Ｘより上流側に配置された第１搬送ローラ対Ｒ１と、第１搬送ローラ対Ｒ１から送られてくる印画紙を更に上方に送るように露光位置より下流側に配置された第２搬送ローラ対Ｒ２とで構成されている。第１搬送ローラ対Ｒ１は、駆動ローラ４１と、この駆動ローラ４１に圧着することにより従動的に回転する圧着ローラ４２とで構成され、同様に、第２搬送ローラ対Ｒ２は、駆動ローラ５１と、この駆動ローラ５１に圧着することにより従動的に回転する圧着ローラ５２とで構成されている。
【００１６】
図２と図３に示すように、第１、第２搬送ローラ対Ｒ１、Ｒ２の各駆動ローラ４１、５１は、１本の長尺で中実の金属製のシャフト４１Ａ、５１Ａと、このシャフト４１Ａ、５１Ａ上に一体的に形成された複数の円筒状のローラ部４１Ｂ、５１Ｂとからなり、これらの複数のローラ部４１Ｂ、５１Ｂは、シャフト４１Ａ、５１Ａの軸芯に沿って互いに所定の間隔を介して離間配置され、シャフト４１Ａ、５１Ａは主フレームＦ１に遊転自在に支承されている。ローラ部４１Ｂ、５１Ｂは、アルミニウム等の金属材からなり、その外周面にセラミック材が被膜状にコーティングされている。また、このローラ部４１Ｂ、５１Ｂの外周部の一部を露出させる開口を基準プレート２５に形成し、かつ、このローラ部４１Ｂ、５１Ｂの外周部が前記開口を介して基準プレート２５の案内面２５Ｓから搬送経路側に僅かに突出する位置関係となるように駆動ローラ４１、５１が支承されている。また、主フレームＦ１の側にステッピングモータ型の搬送モータ６０を備え、この搬送モータ６０からの駆動力を第１無端ベルト６１と第２無端ベルト６２とからなる減速伝動系を介して駆動ローラ４１、５１に伝える構成になっている。
【００１７】
可動フレームＦ２には、第１、第２搬送ローラ対Ｒ１、Ｒ２のシャフト４１Ａ、５１Ａと平行に延びた一対の操作軸４３、５３が回転自在に支承されている。図３に示すように、上流側の操作軸４３には、２本の第１揺動アーム４４と１本の第２揺動アーム４５とが、一体揺動するように固着されている。下流側の操作軸５３にも、２本の第１揺動アーム５４と１本の第２揺動アーム５５とが、一体揺動するように固着されている。図３に示すように、上流側の操作軸４３から延びた２本の第１揺動アーム４４の各揺動端の間には、圧着ローラ４２のシャフト４２Ａがボールベアリング７０を介して遊転支承されている。下流側の操作軸５３から延びた２本の第１揺動アーム５４の各揺動端の間にも、圧着ローラ５２のシャフト５２Ａがボールベアリング７０を介して遊転支承されている（図４も参照のこと）。さらに、上流側の操作軸４３から延びた第２揺動アーム４５の揺動端には、ローラ型のカムフォロア４６が遊転支承されており、下流側の操作軸５３から延びた第２揺動アーム５５の揺動端には、ローラ型のカムフォロア５６が遊転支承されている。そして、夫々のカムフォロア４６、５６に接当する回転カム４７、５７が主フレームＦ１に回転可能に支持されており、夫々の回転カム４７、５７は、ベルト伝動機構４９、５９を介してステッピングモータ型のカムモータ４８、５８からの駆動力で回転操作されるように構成されている。尚、一対の操作軸４３、５３はいずれも、カムフォロア４６、５６が回転カム４７、５７の周面に押し付けられるように、捻りコイルばね（不図示）等によって常に付勢されている。
【００１８】
そこで、カムモータ４８、５８によって回転カム４７、５７の回転角度を適宜操作すれば、回転カム４７、５７の周面に押し付けられたカムフォロア４６、５６の位置が変位し、これに応じて、第２揺動アーム４５、５５と操作軸４３、５３とが回動操作され、その結果、２本の第１揺動アーム４４、５４の各揺動端の間に支持されたシャフト４２Ａ、５２Ａが、各駆動ローラ４１、５１に対して接近離間方向に移動操作されるので、圧着ローラ４２、５２は駆動ローラ４１、５１に圧着された圧着状態と圧着解除された圧着解除状態との間で切り換えられる。
図３に示すように、夫々の圧着ローラ４２、５２は、前述したシャフト４２Ａ、５２Ａと、シャフト４２Ａ、５２Ａの周面上に遊転自在に支持された複数（具体的には４個）のローラ本体４２Ｂ、５２Ｂとを有する。複数のローラ本体４２Ｂ、５２Ｂは、夫々、駆動ローラ４１、５１の複数のローラ部４１Ｂ、５１Ｂと対向する位置に配置されている。ここで、上流側の圧着ローラ４２と下流側の圧着ローラ５２とは同一の構成を有するので、下流側の圧着ローラ５２について以下に詳細に記述する。
【００１９】
すなわち、図４に示すように、複数のローラ本体５２Ｂの各々は、アルミニウム合金等からなる筒状で剛性の芯部材６３と、芯部材６３の外周に一体的に設けられた（芯部材とのインサート成形または接着剤による接合による）弾性材料製の感光材料支持体６４とからなる。芯部材６３はその両端に内嵌された一対のボールベアリング７１を介してシャフト５２Ａの周面上に支持されており、芯部材６３の内面とシャフト５２Ａの周面との間には環状の空隙Ｓが形成されており、ローラ本体５２Ｂの軽量化に役立っている。尚、複数のローラ本体５２Ｂどうしは、シャフト５２Ａの周面上にスペーサとして遊転自在に外嵌されたアルミニウム合金等からなるスリーブ７２によって隔てられている。スリーブ７２は各ボールベアリング７１のインナーレースと接当することで、シャフト５２Ａ上における各ローラ本体５２Ｂの位置を略一定に保持している。
【００２０】
以上の構成を有するので、複数のローラ本体５２Ｂどうしは、シャフト５２Ａ上で相対回転可能に、言い換えれば、互いに独立して回転可能となっている。その結果、図５（ａ）に示すように、Ｌ判（幅：８９ｍｍ×送り長さ：１２７ｍｍ）などの幅の小さな印画紙Ｐを露光操作する際には、４個のローラ本体５２Ｂの内の中央寄りの２個のみが印画紙Ｐを駆動ローラ５１のローラ部５１Ｂに圧着し、左右の端部の２個のローラ本体５２Ｂは印画紙Ｐと接触せず、基本的に回転せず静止しているので、圧着ローラ５２が圧着解除状態から圧着状態に切り換えられる瞬間に、搬送中の印画紙Ｐを慣性によって押し留めようとする作用を発揮するのも前記中央寄りの２個のローラ本体５２Ｂに限られ、特にＬ版など幅の狭い印画紙Ｐを搬送する際に仕上がり写真プリントにバンディング等の欠陥がより生じ難くなる。他方、図５（ｂ）に示すように、例えば六つ切（幅：２０３ｍｍ×送り長さ：２５４ｍｍ）など幅の広い印画紙Ｐを露光操作する際には、４個のローラ本体５２Ｂの全てが印画紙Ｐを駆動ローラ５１のローラ部５１Ｂに圧着する。いずれのサイズの印画紙を搬送する際にも、圧着ローラ５２が圧着状態に切り換えられた時から印画紙との密着によって駆動ローラと同期的に回転操作されるのは、シャフト５２Ａ上のローラ本体５２Ｂのみであって、シャフト５２Ａ自身は基本的に回転しない。
【００２１】
尚、カムフォロア４６、５６の軸芯位置は基本的に圧着ローラ４２、５２の軸芯上かその極く近傍に配置されており、主フレームＦ１から可動フレームＦ２を分離した場合には、カムフォロア４６、５６と、回転カム４７、５７とが分離する形態となる。また、露光搬送ユニットＵ２の組み付け時に、第２揺動アーム４５、５５の操作軸４３、５３に対する角度位置を若干変更することによって、第２揺動アーム４５、５５と第１揺動アーム４４、５４との間の相対角度を変えれば、圧着ローラ４２、５２の圧着状態が切り換わるタイミングや圧着力を個々に微調整できる構成になっている。
【００２２】
図２と図３に示すように、中央ガイド体３２は、アルミニウム等で主走査方向と平行姿勢となる棒状部材の中央位置に主走査方向と平行姿勢のスリット状の開口３２Ａを形成して成り、この中央ガイド体３２の両端部は、ホルダー（不図示）によって基準プレート２５の案内面２５Ｓと直交する方向に接近及び離間自在に支持されている。また、中央ガイド体３２は基準プレート２５と対向する面、及び、開口３２Ａの内面に光線の反射を抑制するよう黒色に着色している。
【００２３】
制御系は省略するが、この露光搬送ユニットＵ２では、以下の制御に従って印画紙Ｐの搬送が行われる。
図６（ａ）に示すように、先ず、供給ユニットＵ１のチャック機構１５で挟持された印画紙Ｐを露光搬送ユニットＵ２に受け入れる際には、導入ローラＲ０の副ローラ３６を開放位置に設定しておき、チャック機構１５のチャック部材１５ａ、１５ａで挟持された印画紙Ｐの先端部が導入ローラＲ０に導入されるのを許す。次に、図６（ｂ）に示すように、この副ローラ３６を圧着位置に設定することにより、主ローラ３５と副ローラ３６とで印画紙Ｐの先端付近を圧着した後に、チャック機構１５のチャック部材１５ａ、１５ａによる挟持が解除され、この解除後に導入ローラＲ０を駆動して印画紙Ｐの上方への搬送が開始される。この搬送により印画紙Ｐは、その基材側が基準プレート２５に接触して案内され、その感光面側が前部ガイド体３１に案内されながら第１搬送ローラ対Ｒ１の方に送られる。
【００２４】
第１、第２搬送ローラ対Ｒ１、Ｒ２の駆動ローラ４１、５１は、印画紙Ｐが接近する前から既に導入ローラＲ０と同期した周速度で回転駆動させてある。そして、図６（ｃ）に示すように、導入ローラＲ０による印画紙Ｐの搬送に基づいて印画紙Ｐの先端部が第１搬送ローラ対Ｒ１の部位に達する前に、予め第１搬送ローラ対Ｒ１の圧着ローラ４２を圧着解除状態に保持しておく制御が行われる。そして、図６（ｄ）に示すように、この第１搬送ローラ対Ｒ１による搬送が可能な位置に印画紙Ｐの先端が達すると、（回転していない静止状態の）圧着ローラ４２を圧着状態に切り換える制御により、この第１搬送ローラ対Ｒ１の駆動ローラ４１と圧着ローラ４２とで印画紙Ｐを圧着して第１搬送ローラ対Ｒ１による搬送を開始する制御を行うことにより、印画紙Ｐの先端を第１搬送ローラ対Ｒ１の間に確実に受け入れる。そして、やはり図６（ｄ）に示すように、この第１搬送ローラ対Ｒ１による搬送開始後に、導入ローラＲ０の副ローラ３６を解除位置に切り換える制御を行うことにより、印画紙Ｐに対して導入ローラＲ０の側から外力を作用させないようにする。
また、第１搬送ローラ対Ｒ１で印画紙Ｐの搬送を開始した後には、印画紙Ｐの先端が露光位置Ｘに達する直前に、基準プレート２５と中央ガイド体３２との間に導入されるので、露光が開始される際には、印画紙Ｐが基準プレート２５から浮き上がる不都合を中央ガイド体３２によって抑制した状態で露光が開始される。
【００２５】
次に、図６（ｅ）に示すように、印画紙Ｐに対する露光が露光位置Ｘにて開始された印画紙Ｐの先端が第２搬送ローラ対Ｒ２に達する前に第２搬送ローラ対Ｒ２の圧着ローラ５２を圧着解除状態に保持しておく制御が行われ、図６（ｆ）に示すように、この第２搬送ローラ対Ｒ２の間に印画紙Ｐの先端が進入した時に、（回転していない静止状態の）圧着ローラ５２を圧着状態に切り換える（従来の圧着ローラの構成ではこの圧着状態への切り換えの瞬間に印画紙Ｐの搬送速度に乱れが生じてバンディングなどの欠陥となっていた）制御により、この第２搬送ローラ対Ｒ２の駆動ローラ５１と圧着ローラ５２とで印画紙Ｐを圧着して搬送を開始し、このように第２搬送ローラ対Ｒ２で印画紙Ｐの搬送を開始後には、適当なタイミングで第１搬送ローラ対Ｒ１の圧着ローラ４２を圧着解除状態に切り換える制御を行うことにより、圧着状態に保持されたままの第１搬送ローラ対Ｒ１から印画紙Ｐの後端が抜け出る際の衝撃が印画紙Ｐの搬送速度に影響を及ぼすことを防止している。
【００２６】
尚、これらの副ローラ３６及び各圧着ローラ４２，５２に対する圧着解除状態と圧着状態の間の切り換え操作は、導入ローラＲ０を構成する副ローラ３６のアクチュエータ３９の制御、及び、各圧着ローラ４２、５２の姿勢を決める回転カム４７、５７を回転操作するカムモータ４８、５８の回転制御によって実施される。
【００２７】
〔別実施形態〕
第１、第２搬送ローラ対Ｒ１、Ｒ２の各圧着ローラを、図７に例示するような構成で実施しても良い。下流側の第２搬送ローラ対Ｒ２の圧着ローラ１５２についてのみ解説すると、この圧着ローラ１５２は、前述のシャフト５２Ａと同様に、揺動アーム５４の遊端付近にボールベアリング７０を介して遊転自在に支持されたシャフト１５２Ａと、シャフト１５２Ａの周面上に遊転自在に支持された長尺で単一のローラ本体１５２Ｂとを有する。ローラ本体１５２Ｂは、アルミニウム合金等からなる筒状で剛性の芯部材１６３と、芯部材１６３の４箇所に形成された膨大部１６３ａの外周に一体的に設けられた（芯部材とのインサート成形または接着剤による接合による）弾性材料製の感光材料支持体１６４とからなる。芯部材１６３はその両端に内嵌された一対のボールベアリング１７１を介してシャフト１５２Ａの周面上に支持されており、芯部材１６３の内面とシャフト１５２Ａの周面との間には環状の空隙Ｓ′が形成されており、ローラ本体１５２Ｂの軽量化に役立っている。尚、複数の感光材料支持体１６４は、夫々、駆動ローラ５１の複数のローラ部５１Ｂと対向する位置に配置されている。この構成においても、圧着ローラ１５２が圧着状態に切り換えられた時から印画紙との密着によって駆動ローラ５１と同期的に回転操作されるのは、シャフト１５２Ａ上のローラ本体１５２Ｂのみであって、シャフト１５２Ａ自身は基本的に回転しない。
【図面の簡単な説明】
【００２８】
【図１】写真プリント装置の縦断側面図
【図２】露光搬送ユニットの搬送経路を構成する主フレームと可動フレームとを示す断面図
【図３】露光搬送ユニットを示す斜視図
【図４】露光搬送ユニットの圧着ローラの一部を示す断面図
【図５】各サイズの印画紙と圧着ローラとの関係を示す説明図
【図６】露光ユニットの搬送経路に対する印画紙の搬送順序を示す模式図
【図７】別実施形態による圧着ローラの一部を示す断面図
【図８】従来技術による圧着ローラの一部を示す断面図
【符号の説明】
【００２９】
Ｐ              印画紙（感光材料）
Ｘ              露光位置
Ｆ１            主フレーム
Ｆ２            可動フレーム
２５            基準プレート
Ｇ              ガイド体
Ｒ１            第１搬送ローラ対
Ｒ２            第２搬送ローラ対
４１、５１      駆動ローラ
４２、５２      圧着ローラ
４２Ａ、５２Ａ  シャフト
４２Ｂ、５２Ｂ  ローラ本体
４３、５３      操作軸
４４、５４      第１揺動アーム
４５、５５      第２揺動アーム
４６、５６      カムフォロア
４７、５７      回転カム
６３            芯部材
６４            感光材料支持体
７１            ボールベアリング
７２            スリーブ
【図１】
2005096921.tif 000003
【図２】
2005096921.tif 000004
【図３】
2005096921.tif 000005
【図４】
2005096921.tif 000006
【図５】
2005096921.tif 000007
【図６】
2005096921.tif 000008
【図７】
2005096921.tif 000009
【図８】
2005096921.tif 000010